(57)【要約】【課題】目視閲覧に供されるコンテンツの評価を、きめ細かく精度よく、又効率よく行うこと。【解決手段】電子ブック化処理部３１により、目視による閲覧が可能な紙媒体で利用者に提供されるコンテンツを、評価対象コンテンツとし、電子的情報に変換する。電子化コンテンツ評価用閲覧処理部４０により、前記利用者による前記紙媒体コンテンツの閲覧の擬似的モニタをするために行う、評価オペレータ・クライアント装置からの前記電子化コンテンツへの擬似的な閲覧のアクセスに応じ、該電子化コンテンツを提供する。又、これと共に、該アクセスの閲覧の状況をモニタする。評価情報生成処理部４３は、該モニタされた結果に基づいて、前記コンテンツの評価をするために用いる情報を生成する。【選択図】図３
2007164277.tif 000002
【特許請求の範囲】
【請求項１】
目視による閲覧が可能な紙媒体で利用者に提供されるコンテンツを、評価対象コンテンツとして、電子的情報に変換する電子ブック化処理部と、
該変換後の該電子化コンテンツを格納する電子化生成物格納部と、
該電子化コンテンツを、前記利用者による前記紙媒体コンテンツの閲覧の擬似的モニタをするために行う、評価オペレータ・クライアント装置からの前記電子化コンテンツへの擬似的な閲覧のアクセスに応じ、該電子化コンテンツを提供すると共に、該アクセスの閲覧の状況をモニタする評価閲覧処理部と、
該モニタされた結果を、閲覧ログとして格納する閲覧過程ログ蓄積部と、
該閲覧過程ログ蓄積装置に格納された情報に基づいて、前記紙媒体コンテンツの評価をするために用いる情報を生成する評価情報生成処理部と、を有することを特徴とするコンテンツ評価用閲覧装置。
【請求項２】
請求項１に記載のコンテンツ評価用閲覧装置において、更に、
前記生成の情報に基づいて、前記評価対象コンテンツの編集にフィードバックする情報を生成する評価情報提供装置を、有することを特徴とするコンテンツ評価用閲覧装置。
【請求項３】
請求項２に記載のフィードバック情報を用いて、目視閲覧の前記コンテンツの編集における、レイアウトを調整する自動編集調整処理部と、
該調整、及びオペレータからの操作に従って、前記紙媒体コンテンツを編集するＤＴＰ処理部と、を有するようにしたことを特徴とする原稿編集処理装置。
【請求項４】
請求項３に記載の原稿編集処理装置において、前記レイアウト調整が、
コンテンツに含まれる内容項目の、配置するページ位置、１ページにおける配置位置、内容項目相互の配置順序、大きさや色を含む内容項目の文字の選択であることを特徴とする原稿編集処理装置。
【発明の詳細な説明】
【技術分野】
【０００１】
本願発明は、目視閲覧に供されるコンテンツの評価を、きめ細かく精度よく、又効率よく行うことができるコンテンツ評価用閲覧装置、又該評価を活用する原稿編集処理装置に関する。
【背景技術】
【０００２】
特許文献１では、電子折込チラシシステムに関する技術が開示されている。特許文献２では、電子ブックの出版社が、電子ブック携帯端末及び通信手段により、読者の読書状況を得ることによって、これをマーケッティング情報とするという技術が示されている。特許文献３では、ウェブ・サイトへのアクセス状況の集計に基づいて、当該ウェブ・サイトの問題点を発見し、改善できるようにするという技術が開示されている。
【０００３】
【特許文献１】特許公開２００１−３５７２８６号公報
【特許文献２】特許公開２００４−２５２８６９号公報
【特許文献３】特許公開２００５−１８９９４２号公報
【発明の開示】
【発明が解決しようとする課題】
【０００４】
しかしながら、いずれも、本来から電子化されたコンテンツに関する技術になっている。従って、目視閲覧に供されるコンテンツの評価に関して言及されておらず、示唆もされていない。このため、目視閲覧のコンテンツを評価するためには用いることはできない。
【０００５】
本発明は、前記従来の問題点を解決するべくなされたもので、目視閲覧に供されるコンテンツの評価を、きめ細かく精度よく、又効率よく行うことができるコンテンツ評価用閲覧装置を提供することを課題とする。
【課題を解決するための手段】
【０００６】
まず、本願の第１発明のコンテンツ評価用閲覧装置は、目視による閲覧が可能な紙媒体で利用者に提供されるコンテンツを、評価対象コンテンツとし、電子的情報に変換する電子ブック化処理部と、該変換後の該電子化コンテンツを格納する電子化生成物格納部と、該電子化コンテンツを、前記利用者による前記紙媒体コンテンツの閲覧の擬似的モニタをするために行う、評価オペレータ・クライアント装置からの前記電子化コンテンツへの擬似的な閲覧のアクセスに応じ、該電子化コンテンツを提供すると共に、該アクセスの閲覧の状況をモニタする評価閲覧処理部と、該モニタされた結果を、閲覧ログとして格納する閲覧過程ログ蓄積部と、該閲覧過程ログ蓄積装置に格納された情報に基づいて、前記紙媒体コンテンツの評価をするために用いる情報を生成する評価情報生成処理部と、を有することにより、前記課題を解決したものである。
【０００７】
又、前記コンテンツ評価用閲覧装置において、更に、前記生成の情報に基づいて、前記評価対象コンテンツの編集にフィードバックする情報を生成する評価情報提供装置を、有するものであることにより、前記課題を解決したものである。
【０００８】
次に、本願の第２発明の原稿編集処理装置は、前記第１発明のコンテンツ評価用閲覧装置によって得られるフィードバック情報を用いて、目視閲覧の前記コンテンツの編集における、レイアウトを調整する自動編集調整処理部と、該調整、及びオペレータからの操作に従って、前記紙媒体コンテンツを編集するＤＴＰ処理部と、を有するようにしたことにより、前記課題を解決したものである。
【０００９】
更に、前記コンテンツ評価用閲覧装置において、前記レイアウト調整が、コンテンツに含まれる内容項目の、配置するページ位置、１ページにおける配置位置、内容項目相互の配置順序、大きさや色を含む内容項目の文字の選択であることにより、前記課題を解決したものである。
【００１０】
以下、本発明の作用について、簡単に説明する。
【００１１】
本願発明では、まず、電子ブック化処理部により、目視による閲覧が可能な紙媒体で利用者に提供されるコンテンツを、評価対象コンテンツとし、電子的情報に変換する。該変換後の該電子化コンテンツを電子化生成物格納部に格納する。
【００１２】
そうして、前記利用者による前記紙媒体コンテンツの閲覧の擬似的モニタをするため、評価閲覧処理部により、評価オペレータ・クライアント装置からの前記電子化コンテンツへの擬似的な閲覧のアクセスに応じ、該電子化コンテンツを提供する。又、該提供に際して、該評価閲覧処理部は、該アクセスの閲覧の状況をモニタする。該評価閲覧処理部は、該モニタされた結果を、閲覧ログとして閲覧過程ログ蓄積部に格納する。
【００１３】
このような擬似的な閲覧、及び該閲覧のモニタの後、評価情報生成処理部により、該閲覧過程ログ蓄積装置に格納された情報に基づいて、前記紙媒体コンテンツの評価をするために用いる情報を生成する。
【００１４】
以上のような本願発明によれば、擬似的な閲覧により、閲覧時の細かな様子を擬似的にモニタすることができる。
【発明の効果】
【００１５】
このように、本願発明によれば、目視閲覧に供されるコンテンツの評価を、きめ細かく精度よく、又効率よく行うことができるコンテンツ評価用閲覧装置を提供することができる。
【発明を実施するための最良の形態】
【００１６】
以下、図を用いて本発明の実施の形態を詳細に説明する。
【００１７】
本実施形態では、目視による閲覧が可能な紙媒体で利用者に提供されるコンテンツを、評価対象コンテンツとする。ここで、このようなコンテンツを、以下、紙媒体コンテンツと呼ぶ。又、この紙媒体コンテンツの原稿の編集は、後述する原稿編集処理装置１２によって行う。
【００１８】
又、上記の紙媒体コンテンツを一旦電子化生成物に変換し、電子化コンテンツとする。そうして、該利用者による前記紙媒体コンテンツの閲覧の擬似的モニタを行うために、評価オペレータ・クライアント装置からの前記電子化コンテンツへの擬似的な閲覧を、後述するコンテンツ評価用閲覧装置１０によって提供する。該コンテンツ評価用閲覧装置１０では、該閲覧のために電子化コンテンツを提供すると共に、該アクセスの閲覧の状況をモニタする。該擬似的閲覧は、紙媒体コンテンツの閲覧の利用者を擬似する、擬似利用者によるものであり、該擬似利用者は、評価オペレータ・クライアント装置５Ａから電子化コンテンツを閲覧する。
【００１９】
なお、該紙媒体コンテンツは、特に限定されるものではない。該紙媒体コンテンツは、その外見の形態は、チラシのような１枚限りのものでもよく、パンフレットやカタログや書籍のようなページものでもよい。又、該紙媒体コンテンツは、書店や売店で販売されるものでも、新聞チラシのように無料配布されるものでもよい。
【００２０】
又、電子化コンテンツについても、特に限定されるものではない。スキャナ装置により読み込んだりした２次元画像を、２次元画像のまま用いてもよい。読み込んだ２次元画像に対してＯＣＲ（Optical  Character  Reader）処理を行って、テキスト・データやＨＴＭＬ（hypertext  markup  language）データやＸＭＬ（extensible  markup  language）データに変換し、該変更のものを電子化コンテンツとして用いてもよい。あるいは、紙媒体コンテンツの原稿がデジタル・データであれば、これを、そのまま、あるいは適宜データ変換して、テキスト・データやＨＴＭＬデータやＸＭＬデータの電子化コンテンツとしてもよい。
【００２１】
図１は、本願発明が適用された実施形態のコンテンツ評価用閲覧装置、及び原稿編集処理装置に係る、ハードウェアの全体的な構成を示すブロック図である。
【００２２】
この図において、紙媒体コンテンツを編集するための原稿編集処理装置１２、本願発明が適用されたコンテンツ評価用閲覧装置１０、又クライアント装置５は、ネットワーク１に接続されている。
【００２３】
又、構内設備１４は、ゲートウェイ７により該ネットワーク１に接続されている。そして、構内設備１４において、該ゲートウェイ７に加え、原稿編集処理装置１２及びコンテンツ評価用閲覧装置１０、又クライアント装置５は、ネットワーク３に接続されている。
【００２４】
ネットワーク１やネットワーク３に接続されるクライアント装置５は、後述するように、評価オペレータ・クライアント装置５Ａや評価依頼者クライアント装置５Ｂなどとして、種々の目的で利用される。
【００２５】
上記のネットワーク１やネットワーク３は、特に限定されるものではない。典型的なものでは、ネットワーク１はインターネットなどであり、ネットワーク３はＬＡＮ（Local  Area  Network）などである。
【００２６】
原稿編集処理装置１２により編集される紙媒体コンテンツは、前述のように特に限定されるものではない。原稿編集処理装置１２は、いわゆるＤＴＰ（Desk  Top  Publishing）により、印刷用の原稿のレイアウトを作成するためのコンピュータ装置になっている。又、該原稿編集処理装置１２では、編集結果は原稿データと称し、デジタル・データになっている。該原稿データに基づいて、該原稿編集処理装置１２においてプリンタ装置３３３などによって印刷出力したり、あるいは多量の印刷を印刷所でしたりすることで、紙媒体コンテンツを作成することができる。
【００２７】
コンテンツ評価用閲覧装置１０は、本願発明を適用し、上述のように原稿が編集されて作成される、目視閲覧に供されるコンテンツの評価を、精度よく又効率行うためのものである。原稿編集処理装置１２で編集された原稿により作成された、紙媒体のコンテンツは、コンテンツ評価用閲覧装置１０において、後述するスキャナ装置３３４により２次元画像として読み込んだり、該２次元画像に対するＯＣＲ処理を行ったりして、電子化コンテンツに変換する。
【００２８】
図２は、本実施形態の各装置に用いるハードウェアの構成を示すブロック図である。
【００２９】
この図２には、コンテンツ評価用閲覧装置１０や原稿編集処理装置１２、又、クライアント装置５に用いるＰＣ（Personal  Computer）や、ＥＷＳ（Engineering  Work  Station）などとして用いる、ある種のコンピュータ装置のハードウェア構成が示される。
【００３０】
この図のコンピュータ装置は、ＯＳ（Operating  System）は一例として米国マイクロソフト社のＷｉｎｄｏｗｓ（登録商標）を搭載する、一般的なＰＣ（Personal  Computer）装置であってもよく、特に限定されものではない。ＰＣ装置でも、サーバ装置でも、ＥＷＳなどのいわゆるワークステーションなどでもよく、このようなハードウェアを用いることができる。なお、この図において、ハードウェア構成は、説明の関係上一部抽象化されている。
【００３１】
この図において、コンピュータ装置は、ＣＰＵ（Central  Processing  Unit）３１０と、ＲＡＭ（Random  Access  Memory）３１１と、ＲＯＭ（Read  Only  Memory）３１２と、ＬＡＮ−Ｉ／Ｆ（Inter  Face）３１３と、ＭＯＤＥＭ（modulator-demodulator）３１４と、種々のＩ／Ｆ３２０〜３２２とを有している。これらは、バス３０１によって相互接続されている。
【００３２】
又、バス３０１に対して、Ｉ／Ｆ３２０を介して、画面表示装置３３０が接続されている。又、バス３０３によって相互接続されている、キーボード３３１と、マウス３３２と、プリンタ装置３３３と、スキャナ装置３３４とは、バス３０１に対して、Ｉ／Ｆ３２１を介して接続されている。
【００３３】
更に、バス３０１に対して、Ｉ／Ｆ３２２を介して、ＨＤＤ（Hard  Disc  Drive）装置３４０と、ＣＤ（Compact  Disc）ドライブ装置３４１と、ＦＤＤ（Floppy（登録商標）  Disc  Drive）装置３４２とが接続されている。これらはバス３０２によって相互接続されている。なお、上記のＣＤドライブ装置３４１などは、類似の形態のもの、例えばＤＶＤ（Digital  Video  Disc）ドライブ装置であってもよい。
【００３４】
以上のようなハードウェア構成において、記憶手段、又記憶装置は、ＲＡＭ３１１、ＲＯＭ３１２、ＨＤＤ装置３４０、ＣＤドライブ装置３４１、ＦＤＤ装置３４２などである。このような記憶手段や記憶装置において、ＣＰＵ３１０で実行される様々なプログラムや、本実施形態においてアクセスされるデータベースや諸ファイルやデータが保存され、電子的にアクセスができるようになっている。例えば、ＯＳや、データベースやＪＡＶＡ（登録商標）などのソフトウェア資源を利用する環境を提供するためのプログラム、本実施形態に係るアプリケーション・プログラム、又ウェブ・ブラウザ・プログラムは、ＨＤＤ装置３４０に格納されていて、実行時には、ＲＡＭ３１１に読み出されてＣＰＵ３１０によって実行される。なお、ＬＡＮ−Ｉ／Ｆ３１３は、ネットワーク３やネットワーク１に対する接続などに用いられるものであり、ＣＰＵ３１０で実行されるアプリケーション・プログラムには、ネットワーク経由で取得されるものも含まれる。
【００３５】
又、ＯＳやアプリケーション・プログラムその他の実行に際して、オペレータは、画面表示装置３３０に表示出力される情報を参照しつつ、キーボード３３１によって文字入力や諸操作を行ったり、マウス３３２によって座標入力や諸操作の入力を行ったりする。又、適宜、プリンタ装置３３３からは必要な情報を印字出力したりすることができる。更に、スキャナ装置３３４によって、紙媒体のコンテンツを２次元画像として読み込むことができる。言うまでもなく、これら諸出力や入力は、ＣＰＵ３１０で実行されるプログラムによって、電子的な処理によって行われるものである。
【００３６】
なお、ＣＤドライブ装置３４１やＦＤＤ装置３４２は、本願発明を適用して実施する際の、アプリケーション・プログラムのインストールや、その他のオフラインでの情報交換に用いられる。
【００３７】
次に、図３は、本実施形態のコンテンツ評価用閲覧装置１０や原稿編集処理装置１２の構成を示すブロック図である。この図における各処理部などは、図２に示されるようなハードウェアにおいて実行されるアプリケーション・プログラムを中心として実現されている。
【００３８】
この図３において、原稿編集処理装置１２は、ＤＴＰ処理部４８と、自動編集調整処理部４９とを有している。コンテンツ評価用閲覧装置１０は、電子ブック化処理部３１と、電子化生成物格納装置３２と、評価閲覧処理部３４と、閲覧過程ログ蓄積装置３８と、評価情報生成処理部４３と、評価情報格納装置４４と、評価情報提供処理部４６とを有している。又、上記の評価閲覧処理部３４は、電子化生成物表示部３５と、評価閲覧監視部３６とを有している。
【００３９】
なお、電子化コンテンツ評価用閲覧処理部４０は、本願発明の適用の、特に中心的になる部分であり、上述した、電子化生成物格納装置３２、評価閲覧処理部３４、及び閲覧過程ログ蓄積装置３８を有している。
【００４０】
なお、該電子化コンテンツ評価用閲覧処理部４０の処理に対して、電子ブック化処理部３１はいわば前処理を行う。又、該電子化コンテンツ評価用閲覧処理部４０の処理に対して、評価情報生成処理部４３、評価情報格納装置４４、評価情報提供処理部４６はいわば後処理を行う。従って、これら電子ブック化処理部３１、評価情報生成処理部４３、評価情報格納装置４４、又評価情報提供処理部４６は、電子化コンテンツ評価用閲覧処理部４０とは、別のハードウェアにおいて構成するなど、独立して構成するようにしてもよい。
【００４１】
次に、図４は、本実施形態における、本願発明が適用される処理を含む、コンテンツの原稿作成及びその評価処理を示すフローチャートである。
【００４２】
以下、このフローチャート、又図３のブロック図を中心として、本実施形態の作用を説明する。
【００４３】
まず、ステップ１１０では、原稿編集処理装置１２のＤＴＰ処理部４８において、紙媒体コンテンツの、原稿の編集を行う。そして、該編集は、いわゆるＤＴＰのアプリケーション・ソフトウェアを活用したものである。
【００４４】
又、該ステップ１１０では、この編集が完了して作成された原稿に基づいて、印刷などによって、紙媒体のコンテンツを製作する。製作された該紙媒体コンテンツは、図３では評価対象コンテンツ２１とされている。
【００４５】
該評価対象コンテンツ２１は、ステップ１３０において、紙媒体である当該評価対象コンテンツ２１のその目的に従って、販売したり、配布したりして、閲覧に供することになる。なお、ステップ１１２以降の、コンテンツの評価がなされてから、該ステップ１３０の目視閲覧を行うようにしてもよい。
【００４６】
一方、ステップ１１２では、本願発明を適用した評価対象コンテンツ２１の評価を行う。該ステップ１１２は、ステップ１１４、１１６の細部に分かれている。
【００４７】
まず、ステップ１１４では、スキャナ装置３３４を用いつつ、電子ブック化処理部３１により、評価対象コンテンツ２１を２次元画像として読み込む。又、該２次元画像は、ＯＣＲ処理を施しつつ、電子化生成物に変換され、電子化生成物格納装置３２に格納される。この電子化生成物は、デジタル・データで表現されるものであり、その表現形態は特に限定されものではない。例えば、ＸＭＬ形式のデータであってもよい。
【００４８】
次に、ステップ１１６では、ネットワークにおける１サイトの如く、評価閲覧処理部３４は、その電子化生成物表示部３５を中心とした処理によって、上述のように電子化生成物に変換された評価対象コンテンツを、クライアント装置５からアクセスできるように提供する。この際にオペレータ（擬似利用者）によって用いられるクライアント装置５は、図３に示すように、評価オペレータ・クライアント装置５Ａと呼ぶ。又、該アクセスに際して、評価オペレータ・クライアント装置５Ａにおいてオペレータが評価対象コンテンツを閲覧する際の操作は、評価閲覧処理部３４において、評価閲覧監視部３６を中心とした処理によってモニタされ、該モニタのログは、閲覧過程ログとして、閲覧過程ログ蓄積装置３８に蓄積される。
【００４９】
該モニタの対象になり、又その蓄積の対象になる閲覧の際の操作は、以下のとおりである。以下においては、このような操作それぞれに対応する、閲覧過程ログ蓄積装置３８に蓄積される閲覧過程ログの内容も併せて示す。
【００５０】
（１）「ページめくり」の操作（現在のページなど、あるページ（Ｆｒｏｍ）から指定ページ（Ｔｏ）への閲覧するページの移動の操作）：
蓄積されるログの内容：
移動  Ｆｒｏｍ＝“１０Ｐ”  Ｔｏ＝“１１Ｐ”
【００５１】
（２）「拡大」の操作（閲覧している箇所（座標（ｘ、ｙ））における指定表示倍率への変更の操作）：
蓄積されるログの内容：
ページ＝“５Ｐ”  拡大  ｘ＝“１００”  ｙ＝“１００”  倍率＝“３”
【００５２】
（３）「キーワード検索」の操作（キーワードを指定した検索（ログには検索結果（検索されたページ（Ｐ）及び該ページにおける位置の概略）も含む）の操作）：
蓄積されるログの内容：
キーワード検索  キーワード＝“Ｓｕｍｉｔｅｍ”  リスト件数＝“２０”
検索結果リスト
１Ｐ上段
２Ｐ下段
５Ｐ中段
…
【００５３】
（４）「印刷」の操作（指定ページ（Ｆｒｏｍ）から指定ページ（Ｔｏ）の印刷の操作）：
蓄積されるログの内容：
印刷  Ｆｒｏｍ＝“３”Ｔｏ＝“４”  付帯情報＝“ｏｎ”
【００５４】
（５）「内部リンク参照」の操作（指定ページ（Ｔｏ）の指定位置（ｘ、ｙ）への閲覧箇所の移動の操作）：
蓄積されるログの内容：
内部リンク参照  Ｔｏ＝“１Ｐ”  ｘ＝“１０”  ｙ＝“２０”
【００５５】
（６）「外部リンク参照」の操作（指定ＵＲＬページへの移動の操作）：
蓄積されるログの内容：
外部リンク参照  ページ＝“６Ｐ”リンクＩＤ＝“１２３”  リンク名＝“スミテム” ｈｒｅｆ＝“ｈｔｔｐ：//ｗｗｗ．ｓｕｍｉｔｅｍ．ｃｏ．ｊｐ”
【００５６】
（７）「映像再生」の操作（指定ＵＲＬの映像の再生の操作）：
蓄積されるログの内容：
映像再生  ページ＝“７Ｐ”リンクＩＤ＝“４５６”  リンク名＝“スミテム”ｈｒｅｆ=“ｈｔｔｐ：//ｗｗｗ．ｓｕｍｉｔｅｍ．ｃｏ．ｊｐ/ｓｕｍｉｔｅｍ.ｍｏｖ”
【００５７】
（８）「メール送信」の操作（指定宛先（Ｔｏ）へのメール送信の操作）：
蓄積されるログの内容：
メール送信  ページ＝“７Ｐ”  リンクＩＤ＝“７８９”  リンク名＝“スミテム”  Ｔｏ＝“ｍａｉｌ＠ｓｕｍｉｔｅｍ．ｃｏ．ｊｐ”
【００５８】
（９）「付箋貼り付け」の操作（指定位置（ｘ、ｙ）への、指定文面で指定形態（色その他）の付箋貼り付けの操作）：
蓄積されるログの内容：
付箋貼り付け  ページ＝“３Ｐ”  ｘ＝“３００”  ｙ＝“４６０”  ｔｅｘｔ＝“ここに注目！”
Ｔｙｐｅ＝“ｐｒｏｓ”  Ｃｏｌｏｒ＝“ｐｉｎｋ”  ｗｉｄｔｈ=“１００”ｈｅｉｇｈｔ=“１０”
Ｓｔａｔｅ＝“Ｎｏｒｍａｌ”
【００５９】
（１０）「手書きメモ」の操作（複数の連続する指定位置（ｘ、ｙ）を順に補完する自由曲線の描画の操作）：
蓄積されるログの内容：
手書きメモ  ページ＝“１０Ｐ”
手書きメモ
Ｐｏｉｎｔ１＝“１，１”
Ｐｏｉｎｔ２＝“２，２”
…
…
Ｐｏｉｎｔｎ＝“１００，１００”
【００６０】
（１１）「しおり追加」の操作（指定ページ（Ｐａｇｅ）へのしおりの設定の操作）：
蓄積されるログの内容：
しおり追加  Ｐａｇｅ＝“２３”
【００６１】
ステップ１１６に続いてステップ１１８では、評価情報生成処理部４３により、評価対象コンテンツ２１の評価をするための情報（以下評価情報と呼ぶ）を、閲覧過程ログ蓄積装置３８に蓄積された情報に基づいて生成し、評価情報格納装置４４に格納する。該評価情報は、評価対象コンテンツ２１のページ単位になっており、図５〜図８を用いて後述するようなものである。これら図５〜図８において、符号２００は、いわゆるウィンドウなどであり、表示の全体範囲である。なお、該ステップ１１８において評価情報生成処理部４３により、後述するような、原稿編集処理装置１２にフィードバックする情報を生成し、これも評価情報格納装置４４に格納しておくようにしてもよい。
【００６２】
ステップ１２０では、評価情報提供処理部４６により、ステップ１１８で生成した評価情報を、評価を依頼した者（評価依頼者）が用いるクライアント装置５（以下評価依頼者クライアント装置５Ｂ）で閲覧できるように提供する。評価情報の提供は、後述する図５〜図８のような画面を表示させて行うこともできる。
【００６３】
ステップ１２２では、評価情報提供処理部４６により、ステップ１１８で生成した評価情報を、原稿編集処理装置１２における原稿編集にフィードバックする情報を生成する。そして、該生成のフィードバック情報、あるいは評価情報生成処理部４３で生成されて評価情報格納装置４４に格納されているフィードバック情報を、該原稿編集処理装置１２に伝達する。
【００６４】
原稿編集処理装置１２は、該フィードバック情報に基づいて、既に編集されている評価対象コンテンツ２１の原稿を、一部オペレータの指示入力を含めつつ、あるいは自動的に修正する。該修正は、レイアウトの調整などである。例えば、配置するページ位置、１ページにおける配置位置、内容項目相互の配置順序、大きさや色を含む内容項目の文字の選択などのレイアウト調整である。上記の内容項目とは、評価対象コンテンツ２１に盛り込まれるコンテンツ内容で、例えば目次1つ分など、１つのグループになるものである。
【００６５】
例えば、閲覧される頻度の高いものを、前のページに移動したり、互いの間におけるページ移動が多い内容項目を、同一ページにレイアウト変更したりする。
【００６６】
図５〜図８は、いずれも、評価情報の表示を示す線図である。特に、図５は、評価情報である拡大座標の表示を示す線図である。図６は、スクロール座標の表示を示す線図である。図７は、付箋貼り付けの表示を示す線図である。図８は、ペン書きの表示を示す線図である。これらの図における、最も外側の太線枠は、画面表示装置３３０において表示する際の、一画面の表示範囲である。これらの表示は、いわゆるウィンドウとして一画面中に適宜複数表示されるものの１つ（１つのウィンドウ）であってもよい。
【００６７】
これらの図５〜図８では、評価対象コンテンツ２１に含まれる指定ページの、評価オペレータ・クライアント装置５Ａにおいて評価するオペレータが閲覧した状況が、該当のページの表示に重畳させて表示される。
【００６８】
図５であれば、オペレータが拡大操作で指定した座標位置が「×」印の位置により示される。図６であれば、オペレータがスクロール操作で実際にスクロールした画面中心の座標（動線）が、矢印で示される。図７では、評価対象コンテンツ２１の該当ページに貼り付けられている付箋が、該当箇所に張り付いた状態で示される。該図７では、斜線で埋められた矩形が付箋である。図８では、該当ページに描かれているペン書きが破線で示され、全て該当ページに重畳されて表示されている。
【００６９】
なお、上記の拡大操作は、該当の座標位置を指定して、これを中心として、表示を現在より拡大するというものである。スクロール操作は、表示箇所を、上下、あるいは左右などと移動するものである。付箋の貼付は、メモなどのテキスト文を入力し、又該当の貼付座標位置を指定して、該テキスト文が表示される付箋を貼付座標位置に貼り付けるものである。又、これら、拡大操作の座標位置の指定、スクロール操作、付箋のテキスト文入力や貼付座標指定、ペン書きは、キーボード３３１や、マウス３３２を用いて、オペレータが行うものである。
【００７０】
図５に係る拡大操作、図６に係るスクロール操作、図７に係る付箋貼付操作、又、図８に係るペン書き操作でも、操作数が多くなれば、表示画面における該当表示が多くなる。
【００７１】
又、コンテンツに含まれる個々の内容項目それぞれの表示範囲に注目した場合、個々の内容項目の表示範囲における、これら操作の数を把握することができる。又、該操作数が多い内容項目は、閲覧される頻度が高いものである。従って、閲覧頻度に応じて、内容項目の、配置するページ位置、１ページにおける配置位置、内容項目相互の配置順序を、自動的に調整することも可能である。
【００７２】
又、コンテンツに含まれる、このような内容項目よりも更に細かい部分についても、同様に、閲覧頻度を把握することができる。従って、その部分の、大きさや色を含む文字（文字フォント）の選択をすることも可能である。閲覧頻度の高い部分は、大きい文字や、赤などの目立つ色彩の文字に、自動的にすることも可能である。
【００７３】
又、図５に係る拡大操作、図６に係るスクロール操作に関する操作状況のモニタ結果からは、一度で閲覧している範囲を把握することができる。又、これら拡大操作やスクロール操作をする順序から、内容項目相互の閲覧順序を把握することができる。従って、この閲覧順序に従って、内容項目の配置順序を自動的に設定したり、変更したりすることもできる。
【００７４】
以上のように本実施形態によれば、本願発明を効果的に適用することができる。
【産業上の利用可能性】
【００７５】
以上説明したとおり、本願発明によれば、目視閲覧に供されるコンテンツの評価を、きめ細かく精度よく、又効率よく行うことができるコンテンツ評価用閲覧装置を提供することができる。
【図面の簡単な説明】
【００７６】
【図１】本願発明が適用された実施形態のコンテンツ評価用閲覧装置、及び原稿編集処理装置に係る、ハードウェアの全体的な構成を示すブロック図。
【図２】上記実施形態の各装置に用いるハードウェアの構成を示すブロック図。
【図３】前記実施形態のコンテンツ評価用閲覧装置や原稿編集処理装置の構成を示すブロック図。
【図４】前記実施形態における、本願発明が適用される処理を含む、コンテンツの原稿作成及びその評価処理を示すフローチャート。
【図５】前記実施形態における評価情報である拡大座標の表示を示す線図。
【図６】前記実施形態におけるスクロール座標の表示を示す線図。
【図７】前記実施形態における付箋貼り付けの表示を示す線図。
【図８】前記実施形態におけるペン書きの表示を示す線図。
【符号の説明】
【００７７】
１…ネットワーク
３…ネットワーク
５…クライアント装置
５Ａ…評価オペレータ・クライアント装置
５Ｂ…評価依頼者クライアント装置
７…ゲートウェイ
１０…コンテンツ評価用閲覧装置
１２…原稿編集処理装置
１４…構内設備
２１…評価対象コンテンツ
３１…電子ブック化処理部
３２…電子化生成物格納装置
３４…評価閲覧処理部
３５…電子化生成物表示部
３６…評価閲覧監視部
３８…閲覧過程ログ蓄積装置
４０…電子化コンテンツ評価用閲覧処理部
４３…評価情報生成処理部
４４…評価情報格納装置
４６…評価情報提供処理部
４８…ＤＴＰ処理部
４９…自動編集調整処理部
３０１〜３０３…バス
３１０…ＣＰＵ
３１１…ＲＡＭ
３１２…ＲＯＭ
３１３…ＬＡＮ−Ｉ／Ｆ
３１４…ＭＯＤＥＭ
３２０〜３２２…Ｉ／Ｆ
３３０…画面表示装置
３３１…キーボード
３３２…マウス
３３３…プリンタ装置
３３４…スキャナ装置
３４０…ＨＤＤ装置
３４１…ＣＤドライブ装置
３４２…ＦＤＤ装置
【図１】
2007164277.tif 000003
【図２】
2007164277.tif 000004
【図３】
2007164277.tif 000005
【図４】
2007164277.tif 000006
【図５】
2007164277.tif 000007
【図６】
2007164277.tif 000008
【図７】
2007164277.tif 000009
【図８】
2007164277.tif 000010
【手続補正書】
【提出日】平成18年12月21日(2006.12.21)
【手続補正１】
【補正対象書類名】特許請求の範囲
【補正対象項目名】全文
【補正方法】変更
【補正の内容】
【特許請求の範囲】
【請求項１】
目視による閲覧が可能な紙媒体で利用者に提供されるコンテンツを、評価対象コンテンツとして、電子的情報に変換する電子ブック化処理部と、
該変換後の該電子化コンテンツを格納する電子化生成物格納部と、
該電子化コンテンツを、前記利用者による前記紙媒体コンテンツの閲覧の擬似的モニタをするために行う、評価オペレータ・クライアント装置からの前記電子化コンテンツへの擬似的な閲覧のアクセスに応じ、該電子化コンテンツを提供すると共に、該アクセスの閲覧の状況をモニタする評価閲覧処理部と、
該モニタされた結果を、閲覧ログとして格納する閲覧過程ログ蓄積部と、
該閲覧過程ログ蓄積装置に格納された情報に基づいて、前記紙媒体コンテンツの評価をするために用いる評価情報を生成する評価情報生成処理部と、
該生成の評価情報に基づいて、前記評価対象コンテンツの編集にフィードバックする情報を生成する評価情報提供装置と、
を有することを特徴とするコンテンツ評価用閲覧装置。
【請求項２】
請求項１に記載のフィードバック情報を用いて、目視閲覧の前記コンテンツの編集における、レイアウトを調整する自動編集調整処理部と、
該調整、及びオペレータからの操作に従って、前記紙媒体コンテンツを編集するＤＴＰ処理部と、を有するようにしたことを特徴とする原稿編集処理装置。
【請求項３】
請求項２に記載の原稿編集処理装置において、前記レイアウト調整が、
コンテンツに含まれる内容項目の、配置するページ位置、１ページにおける配置位置、内容項目相互の配置順序、大きさや色を含む内容項目の文字の選択であることを特徴とする原稿編集処理装置。
【請求項４】
目視による閲覧が可能な紙媒体で利用者に提供されるコンテンツを、評価対象コンテンツとして、電子的情報に変換する電子ブック化処理部と、
該変換後の該電子化コンテンツを格納する電子化生成物格納部と、
該電子化コンテンツを、前記利用者による前記紙媒体コンテンツの閲覧の擬似的モニタをするために行う、評価オペレータ・クライアント装置からの前記電子化コンテンツへの擬似的な閲覧のアクセスに応じ、該電子化コンテンツを提供すると共に、該アクセスの閲覧の状況をモニタする評価閲覧処理部と、
該モニタされた結果を、閲覧ログとして格納する閲覧過程ログ蓄積部と、
該閲覧過程ログ蓄積装置に格納された情報に基づいて、前記紙媒体コンテンツの評価をするために用いる評価情報を生成する評価情報生成処理部と、
該生成の評価情報に基づいて、前記評価対象コンテンツの評価を画面表示する情報を生成する評価情報提供装置と、
該生成の情報に基づいて、前記擬似的モニタのオペレータが閲覧した状況を、評価対象コンテンツの該当のページの表示に重畳させて画面表示する評価依頼者クライアント装置と、
を有することを特徴とするコンテンツ評価用閲覧装置。
【手続補正２】
【補正対象書類名】明細書
【補正対象項目名】０００６
【補正方法】変更
【補正の内容】
【０００６】
まず、本願の第１発明のコンテンツ評価用閲覧装置は、目視による閲覧が可能な紙媒体で利用者に提供されるコンテンツを、評価対象コンテンツとして、電子的情報に変換する電子ブック化処理部と、該変換後の該電子化コンテンツを格納する電子化生成物格納部と、該電子化コンテンツを、前記利用者による前記紙媒体コンテンツの閲覧の擬似的モニタをするために行う、評価オペレータ・クライアント装置からの前記電子化コンテンツへの擬似的な閲覧のアクセスに応じ、該電子化コンテンツを提供すると共に、該アクセスの閲覧の状況をモニタする評価閲覧処理部と、該モニタされた結果を、閲覧ログとして格納する閲覧過程ログ蓄積部と、該閲覧過程ログ蓄積装置に格納された情報に基づいて、前記紙媒体コンテンツの評価をするために用いる評価情報を生成する評価情報生成処理部と、該生成の評価情報に基づいて、前記評価対象コンテンツの編集にフィードバックする情報を生成する評価情報提供装置と、を有することにより、前記課題を解決したものである。
【手続補正３】
【補正対象書類名】明細書
【補正対象項目名】０００７
【補正方法】削除
【補正の内容】
【手続補正４】
【補正対象書類名】明細書
【補正対象項目名】０００９
【補正方法】変更
【補正の内容】
【０００９】
更に、前記原稿編集処理装置において、前記レイアウト調整が、コンテンツに含まれる内容項目の、配置するページ位置、１ページにおける配置位置、内容項目相互の配置順序、大きさや色を含む内容項目の文字の選択であることにより、前記課題を解決したものである。
続いて、本願の第３発明のコンテンツ評価用閲覧装置は、目視による閲覧が可能な紙媒体で利用者に提供されるコンテンツを、評価対象コンテンツとして、電子的情報に変換する電子ブック化処理部と、該変換後の該電子化コンテンツを格納する電子化生成物格納部と、該電子化コンテンツを、前記利用者による前記紙媒体コンテンツの閲覧の擬似的モニタをするために行う、評価オペレータ・クライアント装置からの前記電子化コンテンツへの擬似的な閲覧のアクセスに応じ、該電子化コンテンツを提供すると共に、該アクセスの閲覧の状況をモニタする評価閲覧処理部と、該モニタされた結果を、閲覧ログとして格納する閲覧過程ログ蓄積部と、該閲覧過程ログ蓄積装置に格納された情報に基づいて、前記紙媒体コンテンツの評価をするために用いる評価情報を生成する評価情報生成処理部と、該生成の評価情報に基づいて、前記評価対象コンテンツの評価を画面表示する情報を生成する評価情報提供装置と、該生成の情報に基づいて、前記擬似的モニタのオペレータが閲覧した状況を、評価対象コンテンツの該当のページの表示に重畳させて画面表示する評価依頼者クライアント装置と、を有することにより、前記課題を解決したものである。
【手続補正５】
【補正対象書類名】明細書
【補正対象項目名】００１３
【補正方法】変更
【補正の内容】
【００１３】
このような擬似的な閲覧、及び該閲覧のモニタの後、評価情報生成処理部により、該閲覧過程ログ蓄積装置に格納された情報に基づいて、前記紙媒体コンテンツの評価をするために用いる評価情報を生成する。
【手続補正６】
【補正対象書類名】明細書
【補正対象項目名】００１４
【補正方法】変更
【補正の内容】
【００１４】
以上のような本願発明によれば、擬似的な閲覧により、閲覧時の細かな様子を擬似的にモニタすることができる。そして、このような評価情報に基づいて、評価対象コンテンツの編集にフィードバックする情報を生成したり、評価対象コンテンツの該当のページの表示に重畳させて、評価依頼者などに画面表示したりすることができる。